(57)【要約】【課題】サーバルームを所定の温度以内に維持し、かつ少ない測定点数で冷却装置の過剰運転もしくは能力不足を判定して冷却装置の運転もしくは停止を行い、省エネ化を実現する。【解決手段】ホットアイルＨＡの暖気を冷却してコールドアイルＣＡに冷風を供給する冷却装置２０と、ホットアイルＨＡとコールドアイルＣＡとの間で空気の出入を行なう開口部３０と、開口部３０近傍のコールドアイルＣＡ側に設置してコールドアイル空気温度を測定するコールドアイル温度センサ４０と、開口部３０近傍のホットアイルＨＡ側に設置してホットアイル空気温度を測定するホットアイル温度センサ４１と、冷却装置２０の起動または停止を行う制御装置５０と、を備え、制御装置５０は、コールドアイル温度センサ４０とホットアイル温度センサ４１の測定値に応じて起動または停止を行う。【選択図】図１
2018005646.tif 000002
【特許請求の範囲】
【請求項１】
複数台設置された機器の給気面と排気面を揃えて配置した機器列を形成し、
前記機器列の給気面同士が対向するコールドアイルおよび前記機器列の排気面同士が対向するホットアイルを形成し、
前記コールドアイルと前記ホットアイルの空気の混合を抑制する間仕切りを設けた部屋において、
前記ホットアイルの暖気を冷却して前記コールドアイルに冷風を供給する冷却装置と、
前記ホットアイルと前記コールドアイルとの間で空気の出入を行なう開口部と、
前記開口部近傍の前記コールドアイル側に設置してコールドアイル空気温度を測定するコールドアイル温度センサと、
前記開口部近傍の前記ホットアイル側に設置してホットアイル空気温度を測定するホットアイル温度センサと、
前記冷却装置の起動または停止を行う制御装置と、を備え、
前記制御装置は、
前記コールドアイル温度センサと前記ホットアイル温度センサの測定値に応じて起動または停止を行う前記冷却装置を選択する
ことを特徴とする冷却システム。
【請求項２】
前記制御装置は、
前記コールドアイル温度センサで測定した前記コールドアイル空気温度の最大値が温度閾値よりも高い場合、
前記コールドアイル空気温度が最大値となる前記開口部を有する前記ホットアイルに対する前記冷却装置の優先順位を算出し、前記優先順位の高い前記冷却装置を起動すると判定する
ことを特徴とする請求項１に記載の冷却システム。
【請求項３】
前記制御装置は、
前記コールドアイル温度センサで測定した前記コールドアイル空気温度の最大値が前記温度閾値よりも低く、かつ、前記ホットアイル温度センサで測定した前記ホットアイル空気温度と前記コールドアイル温度センサで測定した前記コールドアイル空気温度の温度差の最小値が温度差閾値よりも低い場合、前記ホットアイルと前記コールドアイルの温度差が最小となる前記開口部を有する前記ホットアイルに対する前記冷却装置の優先順位を算出し、前記優先順位の高い前記冷却装置を停止すると判定する
ことを特徴とする請求項２に記載の冷却システム。
【請求項４】
前記制御装置は、
前記ホットアイルと前記冷却装置の距離と、前記冷却装置の運転状態から、前記ホットアイルの暖気を前記冷却装置が吸込む風量割合を予め求めておいた予測式で演算し、前記風量割合の高い順に前記冷却装置の優先順位を決定する
ことを特徴とする請求項２または請求項３に記載の冷却システム。
【請求項５】
前記機器の近傍に設置して前記機器の発熱を局所的に冷却する局所冷却装置をさらに備える
ことを特徴とする請求項１に記載の冷却システム。
【請求項６】
前記制御装置は、
前記コールドアイル温度センサで測定した前記コールドアイル空気温度の最大値が温度閾値よりも高い場合、
前記コールドアイル空気温度が最大値となる前記開口部を有する前記ホットアイルに対する前記冷却装置の優先順位を算出し、前記優先順位の高い前記冷却装置を起動すると判定する
ことを特徴とする請求項５に記載の冷却システム。
【請求項７】
前記制御装置は、
前記コールドアイル温度センサで測定した前記コールドアイル空気温度の最大値が前記温度閾値よりも低く、かつ、前記ホットアイル温度センサで測定した前記ホットアイル空気温度と前記コールドアイル温度センサで測定した前記コールドアイル空気温度の温度差の最小値が温度差閾値よりも低い場合、前記ホットアイルと前記コールドアイルの温度差が最小となる前記開口部を有する前記ホットアイルに対する前記冷却装置の優先順位を算出し、前記優先順位の高い前記冷却装置を停止すると判定する
ことを特徴とする請求項６に記載の冷却システム。
【請求項８】
前記制御装置は、
前記ホットアイルと前記冷却装置の距離と、前記ホットアイルと前記局所冷却装置の距離と、前記冷却装置の運転状態と、前記局所冷却装置の運転状態と、から、前記ホットアイルの暖気を前記冷却装置が吸込む風量割合を予め求めておいた予測式で演算し、前記風量割合の高い順に前記冷却装置の優先順位を決定する
ことを特徴とする請求項６または請求項７に記載の冷却システム。
【請求項９】
前記制御装置は、
停止すると判定した前記冷却装置が、前回の動作で起動した前記冷却装置であり、かつ、前回の起動動作から所定時間経過していない場合、
前記冷却装置を停止しないと判定する
ことを特徴とする請求項３または７に記載の冷却システム。
【請求項１０】
前記冷却装置は、
前記機器の近傍に設置して前記機器の発熱を局所的に冷却する局所冷却装置である
ことを特徴とする請求項１乃至４のいずれか１項に記載の冷却システム。
【請求項１１】
前記冷却装置は、
前記部屋の周囲部に設置され、ホットアイルからの高温空気を取り込んで冷却し、低温空気をコールドアイルに供給する空調機と、
前記機器の近傍に設置して前記機器の発熱を局所的に冷却する局所冷却装置である
ことを特徴とする請求項１乃至４のいずれか１項に記載の冷却システム。
【請求項１２】
複数台設置された機器の給気面と排気面を揃えて配置した機器列を形成し、前記機器列の給気面同士が対向するコールドアイルおよび前記機器列の排気面同士が対向するホットアイルを形成し、前記コールドアイルと前記ホットアイルの空気の混合を抑制する間仕切りを設けた部屋において、前記ホットアイルの暖気を冷却して前記コールドアイルに冷風を供給する冷却装置を制御する空調制御装置であって、
前記コールドアイルを測定するコールドアイル温度センサと前記ホットアイルを測定するホットアイル温度センサの測定値に応じて起動または停止を行う前記冷却装置を選択する
ことを特徴とする空調制御装置。
【請求項１３】
複数台設置された機器の給気面と排気面を揃えて配置した機器列を形成し、前記機器列の給気面同士が対向するコールドアイルおよび前記機器列の排気面同士が対向するホットアイルを形成し、前記コールドアイルと前記ホットアイルの空気の混合を抑制する間仕切りを設けた部屋において、前記ホットアイルの暖気を冷却して前記コールドアイルに冷風を供給する冷却装置と、前記ホットアイルと前記コールドアイルとの間で空気の出入を行なう開口部と、前記開口部近傍の前記コールドアイル側に設置してコールドアイル空気温度を測定するコールドアイル温度センサと、前記開口部近傍の前記ホットアイル側に設置してホットアイル空気温度を測定するホットアイル温度センサと、前記冷却装置の起動または停止を行う制御装置と、を備える冷却システムの空調制御方法であって、
前記コールドアイル温度センサで測定した前記コールドアイル空気温度の最大値が温度閾値よりも高い場合、前記コールドアイル空気温度が最大値となる前記開口部を有する前記ホットアイルに対する前記冷却装置の優先順位を算出し、前記優先順位の高い前記冷却装置を起動すると判定し、
前記コールドアイル温度センサで測定した前記コールドアイル空気温度の最大値が前記温度閾値よりも低く、かつ、前記ホットアイル温度センサで測定した前記ホットアイル空気温度と前記コールドアイル温度センサで測定した前記コールドアイル空気温度の温度差の最小値が温度差閾値よりも低い場合、前記ホットアイルと前記コールドアイルの温度差が最小となる前記開口部を有する前記ホットアイルに対する前記冷却装置の優先順位を算出し、前記優先順位の高い前記冷却装置を停止すると判定する
ことを特徴とする空調制御方法。
【発明の詳細な説明】
【技術分野】
【０００１】
本発明は、冷却システム、空調制御装置および空調制御方法に関し、特にサーバルームの空調を制御する冷却システム、空調制御装置および空調制御方法に関する。
【背景技術】
【０００２】
サーバルームには、コンピュータやサーバ等の電子機器（以下、「機器」と称する。）が集約された状態で多数設置され、これらの機器が昼夜にわたって連続稼働している。サーバルームにおける機器の設置は、ラックマウント方式が主流になっている。ラックマウント方式は、機器を機能単位別に分割して収納するラック（筺体）を、キャビネットに段積みする方式であり、かかるキャビネットがサーバルームの床上に多数整列配置されている。ラックに収納されている機器は、前面から低温空気を吸い込み、機器の内部を冷却して、背面から高温空気を排気するものが一般的である。
【０００３】
これらの機器は、高温状態になるとシステム停止等のトラブルを引き起こすおそれがあるため、冷却装置によって機器から排気された高温空気を冷却することで、サーバルームは一定の温度環境に管理されている。
【０００４】
さらに、サーバルームでは、このようなラック列が、隣接する列の給気面同士および排気面同士を対向させて複数列配置される。つまり、通路（空間）を挟んで給気面同士が対向し、排気面同士が対向するように配置されている。給気面同士で挟まれた空間は、冷却装置で冷却した低温空気が供給されることからコールドアイル（Cold aisle；冷気通路）と呼ばれる。同様に、排気面同士で挟まれた空間は機器からの高温空気が供給されることからホットアイル（Hot aisle；暖気通路）と呼ばれている。
【０００５】
従来におけるサーバルームの空調方式では、機械室またはサーバルーム壁際に設置されたＣＲＡＣ（Computer Room Air Conditioning）と呼ばれる冷却装置で冷却された低温空気をサーバルームの二重床空間を介してコールドアイルに供給する床吹出し方式が一般的である。しかし、近年では、機器の処理速度や、機器の処理能力の急激な上昇に伴い機器の発熱量が増大し、冷却負荷が増大していることから、一般空調方式の冷却システムに局所的に機器の冷却を行う局所冷却装置を増設する場合や、局所冷却方式において局所冷却装置故障時の冗長用に床吹出し方式を用いる場合など、床吹出し方式と局所冷却方式を併用するケースが増加している。
【０００６】
サーバルームでは、冷却装置故障時の冗長用空調機が設置されていることと、機器は長時間に亘り段階的に設置されることから、通常は機器の発熱量に対して冷却装置の冷却能力は非常に大きくなっているが、過剰な冷却装置を停止することで室内の温度が上昇することを不安視するあまり、冷却装置の過剰運転を行っている場合が多い。特に、床吹出し方式と局所冷却方式を併用している場合には、どの冷却装置の操作を行えばよいか判定が困難であるため、過剰運転が顕著になっている。
【０００７】
このような背景から、冷却装置の運転台数や送風量を最適に制御し、省エネを図る冷却装置の制御方法について様々な技術が開示されている。例えば、特許文献１には、データセンタ内に多数のノードを設置し、前記各ノードがネットワークを介して接続され、データセンタ内に設置された複数の空調機により前記各ノードを冷却するネットワークシステムにおいて、前記各ノードを冷却する空調機を記憶し、前記各ノードの給気面及び排気面の温度を検知し、前記各ノードの排気が他のノードに給気される割合を算出し、前記給気面の温度の検知により熱だまりの発生を検出した際に、前記データセンタ内の空気の流れを考慮して前記熱だまりにあるノードの給気面の温度低下に影響の大きい空調機の出力を大きくすることで熱だまりの除去を行うことを特徴とするデータセンタにおける空調管理方法が開示されている（請求項１参照）。
【０００８】
また、特許文献２には、ＩＴ機器を冷却する空調機器を制御する空調制御システムが行う空調制御方法であって、前記空調制御システムは、電源装置からＩＴ機器に供給されている電流値および電圧値を取得して、取得した電流値および電圧値からＩＴ機器によるエネルギー消費量を計測する機器エネルギー消費量計測ステップと、電力供給部から空調システムに供給されている電流値および電圧値を取得して、取得した電流値および電圧値から前記空調システムによるエネルギー消費量を計測するシステムエネルギー消費量計測ステップと、ＩＴ機器に取り付けられた温度センサにより検知されたセンサ値から、ＩＴ機器の吸気温度を計測する吸気温度計測ステップと、前記機器エネルギー消費量計測ステップにより計測されたＩＴ機器によるエネルギー消費量、および前記システムエネルギー消費量計測ステップにより計測された前記空調システムによるエネルギー消費量を足し合わせた総エネルギー消費量を、前記吸気温度計測ステップにより計測された吸気温度を変数とする所定の関数で近似することにより得られる特性式を用いて、総エネルギー消費量が最小となる時の吸気温度を算出する吸気温度算出ステップと、前記吸気温度算出ステップにより算出された吸気温度となるように、前記空調システムの制御値を設定する空調制御値設定ステップとを実行することを特徴とする空調制御方法が開示されている（請求項３参照）。
【先行技術文献】
【特許文献】
【０００９】
【特許文献１】特開２０１１−３９８９１号公報
【特許文献２】特開２０１０−２７０９３７号公報
【発明の概要】
【発明が解決しようとする課題】
【００１０】
しかし、一般的にデータセンタでは室内の温熱環境を、各コールドアイルに１〜２点設置された温度センサの測定値で管理している場合が多く、特許文献１や特許文献２に開示された冷却システムを運用する場合には、各機器の吸込温度センサや排気温度センサ、電流値、電圧値を測定するための複数のセンサ設置が必要となり、イニシャルコストが高くなってしまう。特に、データセンタでは、冷却システムを管理する管理者と、機器を所有するユーザが異なる場合があり、その場合には、各機器が所有する温度情報等を空調の制御に使用できないことがあるため、空調制御用の新たなセンサの設置が必要となり、イニシャルコストが高くなる。
【００１１】
また、室全体を冷却する冷却装置に加え、特定のエリアの機器を局所的に冷却する局所冷却装置が設置されている場合には、局所冷却装置の運転状態によって冷却装置の最適な運転状態が変わることから、運転する最適な冷却装置を一意的に決定することができない。
【００１２】
そこで、本発明は、サーバルームを所定の温度以内に維持し、かつ少ない測定点数で冷却装置の過剰運転もしくは能力不足を判定して冷却装置の運転もしくは停止を行い、省エネ化を実現する冷却システム、空調制御装置および空調制御方法を提供することを課題とする。
【課題を解決するための手段】
【００１３】
このような課題を解決するために、本発明に係る冷却システムは、複数台設置された機器の給気面と排気面を揃えて配置した機器列を形成し、前記機器列の給気面同士が対向するコールドアイルおよび前記機器列の排気面同士が対向するホットアイルを形成し、前記コールドアイルと前記ホットアイルの空気の混合を抑制する間仕切りを設けた部屋において、前記ホットアイルの暖気を冷却して前記コールドアイルに冷風を供給する冷却装置と、前記ホットアイルと前記コールドアイルとの間で空気の出入を行なう開口部と、前記開口部近傍の前記コールドアイル側に設置してコールドアイル空気温度を測定するコールドアイル温度センサと、前記開口部近傍の前記ホットアイル側に設置してホットアイル空気温度を測定するホットアイル温度センサと、前記冷却装置の起動または停止を行う制御装置と、を備え、前記制御装置は、前記コールドアイル温度センサと前記ホットアイル温度センサの測定値に応じて起動または停止を行う前記冷却装置を選択することを特徴とする。
【００１４】
また、本発明に係る空調制御装置は、複数台設置された機器の給気面と排気面を揃えて配置した機器列を形成し、前記機器列の給気面同士が対向するコールドアイルおよび前記機器列の排気面同士が対向するホットアイルを形成し、前記コールドアイルと前記ホットアイルの空気の混合を抑制する間仕切りを設けた部屋において、前記ホットアイルの暖気を冷却して前記コールドアイルに冷風を供給する冷却装置を制御する空調制御装置であって、前記コールドアイルを測定するコールドアイル温度センサと前記ホットアイルを測定するホットアイル温度センサの測定値に応じて起動または停止を行う前記冷却装置を選択することを特徴とする。
【００１５】
また、本発明に係る空調制御方法は、複数台設置された機器の給気面と排気面を揃えて配置した機器列を形成し、前記機器列の給気面同士が対向するコールドアイルおよび前記機器列の排気面同士が対向するホットアイルを形成し、前記コールドアイルと前記ホットアイルの空気の混合を抑制する間仕切りを設けた部屋において、前記ホットアイルの暖気を冷却して前記コールドアイルに冷風を供給する冷却装置と、前記ホットアイルと前記コールドアイルとの間で空気の出入を行なう開口部と、前記開口部近傍の前記コールドアイル側に設置してコールドアイル空気温度を測定するコールドアイル温度センサと、前記開口部近傍の前記ホットアイル側に設置してホットアイル空気温度を測定するホットアイル温度センサと、前記冷却装置の起動または停止を行う制御装置と、を備える冷却システムの空調制御方法であって、前記コールドアイル温度センサで測定した前記コールドアイル空気温度の最大値が温度閾値よりも高い場合、前記コールドアイル空気温度が最大値となる前記開口部を有する前記ホットアイルに対する前記冷却装置の優先順位を算出し、前記優先順位の高い前記冷却装置を起動すると判定し、前記コールドアイル温度センサで測定した前記コールドアイル空気温度の最大値が前記温度閾値よりも低く、かつ、前記ホットアイル温度センサで測定した前記ホットアイル空気温度と前記コールドアイル温度センサで測定した前記コールドアイル空気温度の温度差の最小値が温度差閾値よりも低い場合、前記ホットアイルと前記コールドアイルの温度差が最小となる前記開口部を有する前記ホットアイルに対する前記冷却装置の優先順位を算出し、前記優先順位の高い前記冷却装置を停止すると判定することを特徴とする。
【発明の効果】
【００１６】
本発明によれば、サーバルームを所定の温度以内に維持し、かつ少ない測定点数で冷却装置の過剰運転もしくは能力不足を判定して冷却装置の運転もしくは停止を行い、省エネ化を実現する冷却システム、空調制御装置および空調制御方法を提供することができる。
【図面の簡単な説明】
【００１７】
【図１】第１実施形態に係る冷却システムの構成例を示す平面図である。
【図２】第１実施形態に係る冷却システムの構成例を示す立面図である。
【図３】第１実施形態に係る冷却システムの制御装置の処理を示すフローチャートである。
【図４】（ａ）は各冷却装置と各ホットアイルにおける風量の割合の関係を示す表であり、（ｂ）は優先順位の関係を示す表である。
【図５】第２実施形態に係る冷却システムの構成例を示す平面図である。
【図６】第２実施形態に係る冷却システムの構成例を示す立面図である。
【図７】第３実施形態に係る冷却システムの構成例を示す平面図である。
【図８】第３実施形態に係る冷却システムの構成例を示す立面図である。
【図９】（ａ）は各局所冷却装置と各ホットアイルにおける風量の割合の関係を示す表であり、（ｂ）は優先順位の関係を示す表である。
【図１０】第４実施形態に係る冷却システムの構成例を示す平面図である。
【図１１】第４実施形態に係る冷却システムの構成例を示す立面図である。
【図１２】（ａ）は各冷却装置および局所冷却装置と各ホットアイルにおける風量の割合の関係を示す表であり、（ｂ）は優先順位の関係を示す表である。
【発明を実施するための形態】
【００１８】
以下、本発明を実施するための形態（以下「実施形態」という）について、適宜図面を参照しながら詳細に説明する。なお、各図において、共通する部分には同一の符号を付し重複した説明を省略する。
【００１９】
≪第１実施形態≫
＜冷却システムＳ＞
第１実施形態に係る冷却システムＳについて、図１および図２を用いて説明する。図１は、第１実施形態に係る冷却システムＳの構成例を示す平面図である。図２は、第１実施形態に係る冷却システムＳの構成例を示す立面図である。なお、図２に示す立面図においては、空気の流れる関係を理解しやすくするため、図１とは冷却装置２０の配置を変更して図示している。
【００２０】
図１に示すように、室（コンピュータルーム，サーバルーム）Ｒには、コンピュータやサーバ等の電子機器（以下、「機器」と称する。）を収納したラック１０が複数設置されている。ラック１０は、機器が内蔵するファン（図示せず）により、前面を給気面とし、背面を排気面として、給気面から取り込んだ空気で機器の内部を冷却し、排気面から高温空気を排気するようになっている。
【００２１】
ラック１０は、給気面と排気面を揃えて配置したラック列を形成しており、さらに、ラック列の給気面同士、排気面同士を向かい合わせて複数列配置されている。これにより、図１および図２に示すように、ラック列の給気面同士が対向するコールドアイルＣＡと、ラック列の排気面同士が対向するホットアイルＨＡと、が交互に形成される。
【００２２】
また、図１および図２に示すように、室Ｒには、ホットアイルＨＡとコールドアイルＣＡとを仕切る間仕切り１５が設けられており、ラック１０の排気面から排気された高温空気がラック１０の給気面へと再循環することを防止する。換言すれば、ラック１０の排気面から排気された高温空気と、後述する冷却装置２０からラック１０の給気面に供給される低温空気と、が混合せず、分離するようになっている。
【００２３】
第１実施形態に係る冷却システムＳは、冷却装置２０と、間仕切り１５に形成された開口部３０と、コールドアイル温度センサ４０と、ホットアイル温度センサ４１と、制御装置５０と、を備えている。
【００２４】
冷却装置２０は、図１に示すように、室Ｒの周囲部に複数設置されている。冷却装置２０は、空調機（Computer Room Air Conditioning；ＣＲＡＣ）であり、ホットアイルＨＡからの高温空気を取り込んで冷却し、低温空気をコールドアイルＣＡに供給する。なお、冷却装置２０の運転／停止は、制御装置５０により制御される。
【００２５】
図２に示すように、ラック１０の排気面から排気された高温空気（暖気）は、ホットアイルＨＡに排気され、室Ｒの上部（天井裏）を通って、冷却装置２０に吸い込まれる（左下がりハッチングを付した矢印参照）。そして、冷却装置２０で冷却された低温空気（冷風）は、室Ｒの二重床空間を通って、各コールドアイルＣＡに供給され、ラック１０の給気面から吸い込まれる（白抜き矢印参照）。このように、冷却システムＳは、室Ｒに設置されたラック１０を冷却する、換言すれば、ラック１０に収納した機器（図示せず）を冷却する。
【００２６】
開口部３０は、ホットアイルＨＡとコールドアイルＣＡとを仕切る間仕切り１５に形成された通風路であり、ホットアイルＨＡとコールドアイルＣＡの圧力差によって、空気が流れるようになっている。即ち、ホットアイルＨＡがコールドアイルＣＡよりも高圧の場合、開口部３０を介して陽圧のホットアイルＨＡから陰圧のコールドアイルＣＡに空気が流れる。また、コールドアイルＣＡがホットアイルＨＡよりも高圧の場合、開口部３０を介して陽圧のコールドアイルＣＡから陰圧のホットアイルＨＡに空気が流れる。また、開口部３０は、ホットアイルＨＡに対応付けされている。
【００２７】
各ホットアイルＨＡおよびコールドアイルＣＡには、ホットアイル温度センサ４１とコールドアイル温度センサ４０がそれぞれ設置され、ホットアイルＨＡの温度ＴH とコールドアイルＣＡの温度ＴC を測定するとともにその差を測定することができるようになっている。コールドアイル温度センサ４０とホットアイル温度センサ４１の検出信号は、制御装置５０に出力される。
【００２８】
コールドアイル温度センサ４０は、コールドアイルＣＡ側の開口部３０の近くに設けられるのが好ましい。また、ホットアイル温度センサ４１は、ホットアイルＨＡ側の開口部３０の近くに設けることが好ましい。即ち、１つの開口部３０に対して、１組のコールドアイル温度センサ４０およびホットアイル温度センサ４１が対応付けされている。
【００２９】
制御装置５０は、コールドアイル温度センサ４０とホットアイル温度センサ４１で検出した温度に基づいて、冷却装置２０の運転／停止を判定し、冷却装置２０の運転／停止を制御する。図１に示すように、制御装置５０は、温度取得部５１と、運転状態取得部５２と、運転判定部５３と、記憶部５４と、を備えている。
【００３０】
温度取得部５１は、コールドアイル温度センサ４０で検出したコールドアイルＣＡの温度ＴC と、ホットアイル温度センサ４１で検出したホットアイルＨＡの温度ＴH と、を取得し、さらに、ホットアイルＨＡの温度ＴH とコールドアイルＣＡの温度ＴC との温度差ΔＴを計算する。
【００３１】
運転状態取得部５２は、現在の冷却装置２０の運転状態（どの冷却装置２０が運転しているか、停止しているか）を取得する。
【００３２】
運転判定部５３は、温度取得部５１で取得した温度情報および運転状態取得部５２で取得した現在の運転状態情報に基づいて、冷却装置２０の運転／停止を判定する。
【００３３】
記憶部５４は、運転判定部５３が冷却装置２０の運転／停止を判定する際に用いる情報が格納されている。
【００３４】
そして、制御装置５０は、運転判定部５３の判定結果に基づいて、各冷却装置２０の運転／停止を制御することにより、冷却システムＳ全体を制御する。
【００３５】
＜運転判定処理＞
次に、制御装置５０の処理について、図３を用いて説明する。図３は、第１実施形態に係る冷却システムＳの制御装置５０の処理を示すフローチャートである。
【００３６】
ステップＳ１０１において、制御装置５０の温度取得部５１は、コールドアイル温度センサ４０から各コールドアイルＣＡの温度ＴC を取得し、取得したコールドアイルＣＡの温度ＴC のなかで最大のものを最大温度ＴC,MAXとする。なお、ホットアイルＨＡに通し番号を付け、コールドアイルＣＡの温度が最大となる開口部３０が設置されたホットアイルＨＡの番号を（ｎ）とする。
【００３７】
ステップＳ１０２において、運転判定部５３は、コールドアイルＣＡの最大温度ＴC,MAXが予め設定された温度閾値Ｔ1 よりも大きいか否かを判定する（ＴC,MAX≧Ｔ1 ？）。なお、温度閾値Ｔ1 は、ホットアイルＨＡからコールドアイルＣＡへの空気の流入（逆流）を判定するための閾値である。最大温度ＴC,MAXが温度閾値Ｔ1 よりも大きい場合（Ｓ１０２・Ｙｅｓ）、制御装置５０の処理はステップＳ１０３に進む。一方、最大温度ＴC,MAXが温度閾値Ｔ1 よりも大きくない場合（Ｓ１０２・Ｎｏ）、制御装置５０の処理はステップＳ１０６に進む。
【００３８】
ここで、ホットアイルＨＡの圧力がコールドアイルＣＡの圧力よりも高くなると、ホットアイルＨＡの空気（高温空気）がコールドアイルＣＡへ流入しラック１０の給気面に吸い込まれることにより、吸込温度が上昇してしまうおそれがある。このため、温度閾値Ｔ1 を室Ｒの設計温度に設定することにより、ホットアイルＨＡの空気（高温空気）がコールドアイルＣＡへ流入するか否かを判定する。なお、ホットアイルＨＡからコールドアイルＣＡへの逆流が許容できる範囲で温度閾値Ｔ1 を室Ｒの設計温度よりも大きく設定してもよい。
【００３９】
ステップＳ１０３において、制御装置５０の運転状態取得部５２は、冷却装置２０の運転状態を取得する。そして、制御装置５０の運転判定部５３は、停止している冷却装置２０のそれぞれについてコールドアイルＣＡの温度が最大（最大温度ＴC,MAX）となるホットアイルＨＡ（ｎ）から各冷却装置２０が吸込む風量の寄与率を計算する。なお、寄与率の計算方法については、後述する。
【００４０】
ステップＳ１０４において、制御装置５０の運転判定部５３は、停止している冷却装置２０のうち、ホットアイルＨＡ（ｎ）への寄与率が最も高い冷却装置２０を選定する。
【００４１】
ステップＳ１０５において、制御装置５０は、ステップＳ１０４で選定した冷却装置２０の起動を指示する。また、制御装置５０は、起動した冷却装置２０の番号を記憶部５４に記憶する。そして、制御装置５０の処理はステップＳ１０１に戻る。
【００４２】
ステップＳ１０６において、制御装置５０の温度取得部５１は、各開口部３０の近傍に設置されたコールドアイル温度センサ４０からコールドアイルＣＡの温度ＴC と、ホットアイル温度センサ４１からホットアイルＨＡの温度ＴH をそれぞれ取得し、そして、取得したホットアイルＨＡの温度ＴH とコールドアイルＣＡの温度ＴC からのホットアイルＨＡとコールドアイルＣＡの温度差ΔＴを計算する。ここで、ホットアイルＨＡとコールドアイルＣＡの温度差ΔＴは、
温度差ΔＴ＝（ホットアイルＨＡの温度ＴH）−（コールドアイルＣＡの温度ＴC）
とする。次に、計算した温度差ΔＴのなかで最小のものを最小温度差ΔＴMINとする。なお、ホットアイルＨＡに通し番号を付け、ホットアイルＨＡとコールドアイルＣＡの温度差ΔＴが最小となる開口部３０が設置されたホットアイルＨＡの番号を（ｍ）とする。
【００４３】
ステップＳ１０７において、制御装置５０の運転判定部５３は、最小温度差ΔＴMINが予め設定された温度差閾値ΔＴ2 よりも小さいか否かを判定する（ΔＴMIN≦ΔＴ2 ？）。なお、温度差閾値ΔＴ2 は、冷却装置２０の運転が過剰であるか否かを判定するための閾値である。最小温度差ΔＴMINが温度差閾値ΔＴ2 よりも小さい場合（Ｓ１０７・Ｙｅｓ）、制御装置５０の処理はステップＳ１０８に進む。一方、最小温度差ΔＴMINが温度差閾値ΔＴ2 よりも小さくない場合（Ｓ１０７・Ｎｏ）、制御装置５０の処理はステップＳ１０１に戻る。
【００４４】
ステップＳ１０８において、制御装置５０の運転状態取得部５２は、冷却装置２０の運転状態を取得する。そして、制御装置５０の運転判定部５３は、運転している冷却装置２０のそれぞれについてホットアイルＨＡとコールドアイルＣＡの温度差ΔＴが最小（最小温度差ΔＴMIN）となるホットアイルＨＡ（ｍ）から各冷却装置２０が吸込む風量の寄与率を算出する。なお、寄与率の計算方法については、後述する。
【００４５】
ステップＳ１０９において、制御装置５０の運転判定部５３は、運転している冷却装置２０のうち、ホットアイルＨＡ（ｍ）への寄与率が最も高い冷却装置２０を選定する。
【００４６】
ステップＳ１１０において、制御装置５０の運転判定部５３は、ステップＳ１０９で選定した冷却装置２０が前回起動した冷却装置２０であるか否かを判定する。ちなみに、前回起動した冷却装置２０の番号は記憶部５４に記憶されている。選定した冷却装置２０が前回起動した冷却装置２０である場合（Ｓ１１０・Ｙｅｓ）、制御装置５０の処理はステップＳ１１１に進む。一方、選定した冷却装置２０が前回起動した冷却装置２０でない場合（Ｓ１１０・Ｎｏ）、制御装置５０の処理はステップＳ１１２に進む。
【００４７】
ステップＳ１１１において、制御装置５０の運転判定部５３は、前回起動した冷却装置２０が起動してからある所定時間経過しているか否かを判定する。なお、所定時間は冷却装置２０の発停の繰り返しを防止するための時間であり、任意に設定できる値であるが、冷却装置２０の故障リスクを考慮すると半日〜１日程度に設定するのが望ましい。前回起動した冷却装置２０が起動してから所定時間経過している場合（Ｓ１１１・Ｙｅｓ）、制御装置５０の処理はステップＳ１１２に進む。一方、前回起動した冷却装置２０が起動してから所定時間経過していない場合（Ｓ１１１・Ｎｏ）、冷却装置２０の選定を取り消して、制御装置５０の処理はステップＳ１０１に戻る。
【００４８】
ステップＳ１１２において、制御装置５０は、ステップＳ１０９で選定した冷却装置２０の停止を指示する。そして、制御装置５０の処理はステップＳ１０１に戻る。
【００４９】
＜寄与率の計算＞
次に、ステップＳ１０３における寄与率の計算およびステップＳ１０４における冷却装置２０の選定について、図４を用いて説明する。図４（ａ）は、各冷却装置２０と各ホットアイルＨＡにおける風量の割合の関係を示す表であり、図４（ｂ）は、優先順位の関係を示す表である。
【００５０】
コールドアイルＣＡの温度測定値に応じて冷却装置２０の運転を行う際に、対象となるホットアイルＨＡに対して、冷却装置２０が吸込む風量の寄与率が最も高い冷却装置２０を選定するため、予めホットアイルＨＡや冷却装置２０のレイアウト、仕様を基にしたシミュレーションを行い、様々な冷却装置２０の運転状態（運転／停止）の組み合わせに対して、各ホットアイルＨＡから各冷却装置２０に吸い込まれる風量の割合（寄与率）を算出する近似式を求めておき、記憶部５４に格納しておく。そして、各冷却装置２０とホットアイルＨＡの位置関係（距離）、および、各冷却装置２０の運転状態から冷却装置２０の寄与率を算定する近似式を用いて各冷却装置２０の寄与率を算出する。
【００５１】
図４（ａ）において、現在の各冷却装置２０の運転状態から、現在停止している冷却装置（１）を起動（運転）した場合、冷却装置（１）の吸込口に吸い込まれる高温空気の風量の割合は、ホットアイル（１）からが６０％、ホットアイル（２）からが２５％、ホットアイル（３）からが１０％、…、であることを示している。同様に、現在の各冷却装置２０の運転状態から、現在停止している冷却装置（２）を起動（運転）した場合、冷却装置（２）の吸込口に吸い込まれる高温空気の風量の割合は、ホットアイル（１）からが２０％、ホットアイル（２）からが５０％、ホットアイル（３）からが２０％、…、であることを示している。また、現在の各冷却装置２０の運転状態から、現在停止している冷却装置（３）を起動（運転）した場合、冷却装置（３）の吸込口に吸い込まれる高温空気の風量の割合は、ホットアイル（１）からが１０％、ホットアイル（２）からが１５％、ホットアイル（３）からが５０％、…、であることを示している。
【００５２】
図４（ａ）に示す各冷却装置２０と各ホットアイルＨＡにおける風量の割合（寄与率）の関係に基づいて、各ホットアイルＨＡについて、寄与率の高い順に番号（優先順位）を付与する。
【００５３】
図４（ｂ）に示すように、ホットアイル（１）において、冷却装置（１）に「１」が付与され、冷却装置（２）に「２」が付与され、冷却装置（３）に「３」が付与される。同様に、ホットアイル（２）において、冷却装置（２）に「１」が付与され、冷却装置（１）に「２」が付与され、冷却装置（３）に「３」が付与される。また、ホットアイル（３）において、冷却装置（３）に「１」が付与され、冷却装置（２）に「２」が付与され、冷却装置（１）に「３」が付与される。
【００５４】
コールドアイルＣＡの温度が最大（最大温度ＴC,MAX）となるホットアイルＨＡ（ｎ）がホットアイル（１）だった場合、冷却装置（１）が選定される。また、ホットアイルＨＡ（ｎ）がホットアイル（２）だった場合、冷却装置（２）が選定される。また、ホットアイルＨＡ（ｎ）がホットアイル（３）だった場合、冷却装置（３）が選定される。
【００５５】
次に、ステップＳ１０８における寄与率の計算およびステップＳ１０９における冷却装置２０の選定について、同様に図４を用いて説明する。
【００５６】
ホットアイルＨＡとコールドアイルＣＡの温度差に応じて冷却装置２０の停止を行う際に、対象となるホットアイルＨＡに対して、冷却装置２０が吸込む風量の寄与率が最も高い冷却装置２０を選定するため、各冷却装置２０とホットアイルＨＡの位置関係（距離）、および、各冷却装置２０の運転状態から冷却装置２０の寄与率を算定する近似式を用いて各冷却装置２０の寄与率を算出する。
【００５７】
図４（ａ）において、前記のとおり現在の各冷却装置２０の運転状態から、現在運転している冷却装置（１）の吸込口に吸い込まれる高温空気の風量の割合は、ホットアイル（１）からが６０％、ホットアイル（２）からが２５％、ホットアイル（３）からが１０％、…、であることを示している。同様に、現在の各冷却装置２０の運転状態から、現在運転している冷却装置（２）の吸込口に吸い込まれる高温空気の風量の割合は、ホットアイル（１）からが２０％、ホットアイル（２）からが５０％、ホットアイル（３）からが２０％、…、であることを示している。また、現在の各冷却装置２０の運転状態から、現在運転している冷却装置（３）の吸込口に吸い込まれる高温空気の風量の割合は、ホットアイル（１）からが１０％、ホットアイル（２）からが１５％、ホットアイル（３）からが５０％、…、であることを示している。
【００５８】
ステップＳ１０３の処理と同様、ステップＳ１０８の処理でも図４（ａ）に示す各冷却装置２０と各ホットアイルＨＡにおける風量の割合（寄与率）の関係に基づいて、各ホットアイルＨＡについて、寄与率の高い順に番号（優先順位）を付与する。
【００５９】
図４（ｂ）に示すように、ホットアイル（１）において、冷却装置（１）に「１」が付与され、冷却装置（２）に「２」が付与され、冷却装置（３）に「３」が付与される。同様に、ホットアイル（２）において、冷却装置（２）に「１」が付与され、冷却装置（１）に「２」が付与され、冷却装置（３）に「３」が付与される。また、ホットアイル（３）において、冷却装置（３）に「１」が付与され、冷却装置（２）に「２」が付与され、冷却装置（１）に「３」が付与される。
【００６０】
ホットアイルＨＡとコールドアイルＣＡの温度差ΔＴが最小（最小温度差ΔＴMIN）となるホットアイルＨＡ（ｍ）がホットアイル（１）だった場合、冷却装置（１）が選定される。また、ホットアイルＨＡ（ｍ）がホットアイル（２）だった場合、冷却装置（２）が選定される。また、ホットアイルＨＡ（ｍ）がホットアイル（３）だった場合、冷却装置（３）が選定される。
【００６１】
図４（ａ）に示す各寄与率は、前述のステップＳ１０３の処理のときのように、各冷却装置２０とホットアイルＨＡの位置関係（距離）、および、各冷却装置２０の運転状態（運転／停止）から近似式を用いて算出する。そして、図４（ｂ）に示すように、算出した寄与率の高い順に優先順位を付与して冷却装置２０の運転／停止を行う。これにより、様々な冷却装置２０の運転状態に対して、複雑な計算を行わなくても、好適な冷却装置２０を選定することができる。
【００６２】
また、図４（ａ）に示す各寄与率のテーブルは、各冷却装置２０とホットアイルＨＡの位置関係、および、各冷却装置２０の運転状態（運転／停止）から求めることができるので、各冷却装置２０の運転状態（運転／停止）の組み合わせごとのテーブルを記憶部５４に記憶しておいてもよい。これにより、制御装置５０で計算を行わなくとも冷却装置２０の寄与率を求め、寄与率の高い冷却装置２０を選定することができる。
【００６３】
＜作用効果＞
このように、第１実施形態に係る冷却システムＳの制御装置５０は、コールドアイルＣＡの最大温度ＴC,MAXが温度閾値Ｔ1 よりも大きいと判定すると、ホットアイルＨＡの空気（高温空気）がコールドアイルＣＡへ流入していると判断し、冷却装置２０の運転台数を増加する（Ｓ１０２・Ｙｅｓ…Ｓ１０５参照）。これにより、ホットアイルＨＡの空気（高温空気）がコールドアイルＣＡへ流入することを防止することができる。
【００６４】
この際、対象とするホットアイルＨＡ（ｎ）から各冷却装置２０が吸込む風量の寄与率を計算して、その寄与率に基づいて起動する冷却装置２０を選択するので（Ｓ１０３，Ｓ１０４参照）、対象とするホットアイルＨＡ（ｎ）を効率よく冷却する冷却装置２０を選択することができるので、冷却装置２０の運転台数の増加数を抑制して、冷却システムＳのシステム効率を向上させることができる。
【００６５】
また、第１実施形態に係る冷却システムＳの制御装置５０は、最小温度差ΔＴMINが温度差閾値ΔＴ2 よりも小さいと判定すると、コールドアイルＣＡの空気（低温空気）がホットアイルＨＡへ流入している、または、ラック１０からホットアイルＨＡへ排気される温度が低いと判断し、冷却装置２０が過剰に運転しているとして、冷却装置２０の運転台数を減少する（Ｓ１０７・Ｙｅｓ…Ｓ１１２参照）。これにより、過剰に運転している冷却装置２０を停止させて、冷却システムＳのシステム効率を向上させることができる。
【００６６】
この際、対象とするホットアイルＨＡ（ｍ）から各冷却装置２０が吸込む風量の寄与率を計算して、その寄与率に基づいて停止する冷却装置２０を選択するので（Ｓ１０８，Ｓ１０９参照）、対象とするホットアイルＨＡ（ｍ）を効率よく冷却する冷却装置２０を選択する、換言すれば、他のホットアイルＨＡ（ｍ以外）の冷却に与える影響の少ない冷却装置２０を選択することができるので、他のホットアイルＨＡ（ｍ以外）の冷却に与える影響を抑えつつ、過剰に運転している冷却装置２０を停止することができる。
【００６７】
また、停止させるように選定した冷却装置２０が前回起動させた冷却装置２０である場合には（Ｓ１１０・Ｙｅｓ参照）、この冷却装置２０を停止させると冷却能力に不足が生じるおそれがあるため、前回起動させてから所定時間が経過していない場合には（Ｓ１１１・Ｎｏ参照）、選定した冷却装置２０の選定を取り消して、冷却装置２０を停止させず運転を継続する。これにより、当該冷却装置２０の発停を繰り返すことを防止することができる。
【００６８】
また、第１実施形態に係る冷却システムＳは、各ホットアイルＨＡに対してコールドアイル温度センサ４０とホットアイル温度センサ４１を設けることにより達成できるので、特許文献１，２に開示された冷却システムと比較して、センサの数を削減することができ、イニシャルコストを下げることができる。
【００６９】
また、図４に示すように、寄与率の高い順に優先順位を付けて冷却装置２０の運転および停止を行うので、様々な運転状態に対して、複雑な計算を行わなくても好適な冷却装置２０を選定することができる。
【００７０】
≪第２実施形態≫
＜冷却システムＳＡ＞
第２実施形態に係る冷却システムＳＡについて、図５および図６を用いて説明する。図５は、第２実施形態に係る冷却システムＳＡの構成例を示す平面図である。図６は、第２実施形態に係る冷却システムＳＡの構成例を示す立面図である。
【００７１】
ここで、第２実施形態に係る冷却システムＳＡ（図５，６参照）は、第１実施形態に係る冷却システムＳ（図１，２参照）と比較して、局所冷却装置２５を備える点で異なっている。その他の構成は、第１実施形態に係る冷却システムＳと同様であり重複する説明を省略する。
【００７２】
第２実施形態に係る冷却システムＳＡは、冷却装置２０と、局所冷却装置２５と、コールドアイル温度センサ４０と、ホットアイル温度センサ４１と、制御装置５０Ａと、を備えている。
【００７３】
前述のように、冷却装置２０は、室Ｒの上部（天井裏）を介して複数のホットアイルＨＡから高温空気を吸い込んで、室Ｒの二重床空間を介して複数のコールドアイルＣＡに低温空気を供給する。これに対し、局所冷却装置２５は、ラック１０に設置された機器の近傍に設置され、機器の発熱を局所的に冷却する。即ち、局所冷却装置２５は、冷却対象のラック１０の排気面と接したホットアイルＨＡから高温空気を取り込んで冷却し、低温空気を冷却対象のラック１０の給気面と接したコールドアイルＣＡに供給する。
【００７４】
なお、図５および図６において、局所冷却装置２５は一部のラック列に配置されているものとして図示しているが、これに限られるものではなく、全てのラック列に局所冷却装置２５を配置してもよい。
【００７５】
制御装置５０Ａは、コールドアイル温度センサ４０とホットアイル温度センサ４１で検出した温度に基づいて、冷却装置２０の運転／停止を判定し、冷却装置２０の運転／停止を制御する。図５に示すように、制御装置５０Ａは、温度取得部５１と、運転状態取得部５２Ａと、運転判定部５３Ａと、記憶部５４と、を備えている。
【００７６】
運転状態取得部５２Ａは、現在の冷却装置２０および局所冷却装置２５の運転状態（どの冷却装置２０および局所冷却装置２５が運転しているか、停止しているか）を取得する。
【００７７】
運転判定部５３Ａは、温度取得部５１で取得した温度情報および運転状態取得部５２Ａで取得した現在の運転状態情報に基づいて、冷却装置２０の運転／停止を判定する。
【００７８】
そして、制御装置５０Ａは、運転判定部５３Ａの判定結果に基づいて、各冷却装置２０の運転／停止を制御することにより、冷却システムＳＡ全体を制御する。
【００７９】
制御装置５０Ａの処理は、第１実施形態に係る冷却システムＳの制御装置５０の処理（図３参照）と同様である。但し、ステップＳ１０３およびステップＳ１０８で寄与率計算する際、運転している局所冷却装置２５を考慮する点で異なっている。即ち、各冷却装置２０とホットアイルＨＡの位置関係（距離）、各局所冷却装置２５とホットアイルＨＡの位置関係（距離）、各冷却装置２０の運転状態、および、各局所冷却装置２５の運転状態から冷却装置２０の寄与率を算定する近似式を用いて各冷却装置２０の寄与率を算出する。
【００８０】
＜作用効果＞
このように、第２実施形態に係る冷却システムＳＡによれば、局所冷却装置２５を備える構成においても第１実施形態に係る冷却システムＳと同様にシステム効率のよい冷却装置２０の台数制御が可能となる。
【００８１】
また、制御装置５０Ａは、局所冷却装置２５の運転／停止を行わず、冷却装置２０の運転／停止を行うようになっている。これにより、消費電力の大きい冷却装置２０を台数制御することにより、システム効率が向上する。
【００８２】
≪第３実施形態≫
＜冷却システムＳＢ＞
第３実施形態に係る冷却システムＳＢについて、図７から図９を用いて説明する。図７は、第３実施形態に係る冷却システムＳＢの構成例を示す平面図である。図８は、第３実施形態に係る冷却システムＳＢの構成例を示す立面図である。図９（ａ）は各局所冷却装置２５と各ホットアイルＨＡにおける風量の割合の関係を示す表であり、（ｂ）は優先順位の関係を示す表である。
【００８３】
ここで、第３実施形態に係る冷却システムＳＢ（図７〜９参照）は、第２実施形態に係る冷却システムＳＡ（図１，２参照）と比較して、冷却装置として局所冷却装置２５のみを備え、制御装置５０Ｂによって局所冷却装置２５を制御する点である。このとき各局所冷却装置２５と各ホットアイルＨＡにおける風量の割合の関係、優先順位の関係は図９（ａ）（ｂ）に示すとおりである。その他の構成は、第１実施形態に係る冷却システムＳ、第２実施形態に係る冷却システムＳＡと同様であり重複する説明を省略する。なお、図８において、室Ｒの上部（天井裏）を通る高温空気の流れの向き（左下がりハッチングを付した矢印参照）や、室Ｒの二重床空間を通る低温空気の流れの向き（白抜き矢印参照）は、局所冷却装置２５の運転状態によって異なる。このため、図８においては両頭の矢印で示している。
【００８４】
第３実施形態に係る冷却システムＳＢは、局所冷却装置２５と、コールドアイル温度センサ４０と、ホットアイル温度センサ４１と、制御装置５０Ｂと、を備えている。
【００８５】
前述のように、局所冷却装置２５は、ラック１０に設置された機器の近傍に設置され、機器の発熱を局所的に冷却する。即ち、局所冷却装置２５は、冷却対象のラック１０の排気面と接したホットアイルＨＡから高温空気を取り込んで冷却し、低温空気を冷却対象のラック１０の給気面と接したコールドアイルＣＡに供給する。
【００８６】
なお、図７および図８において、局所冷却装置２５は一部のラック列に配置されているものとして図示しているが、これに限られるものではなく、全てのラック列に局所冷却装置２５を配置してもよい。
【００８７】
制御装置５０Ｂは、コールドアイル温度センサ４０とホットアイル温度センサ４１で検出した温度に基づいて、局所冷却装置２５の運転／停止を判定し、局所冷却装置２５の運転／停止を制御する。図７に示すように、制御装置５０Ｂは、温度取得部５１と、運転状態取得部５２Ｂと、運転判定部５３Ｂと、記憶部５４と、を備えている。
【００８８】
運転状態取得部５２Ｂは、現在の局所冷却装置２５の運転状態（どの局所冷却装置２５が運転しているか、停止しているか）を取得する。
【００８９】
運転判定部５３Ｂは、温度取得部５１で取得した温度情報および運転状態取得部５２Ｂで取得した現在の運転状態情報に基づいて、局所冷却装置２５の運転／停止を判定する。
【００９０】
そして、制御装置５０Ｂは、運転判定部５３Ｂの判定結果に基づいて、各局所冷却装置２５の運転／停止を制御することにより、冷却システムＳＢ全体を制御する。
【００９１】
制御装置５０Ｂの処理は、第１実施形態に係る冷却システムＳの制御装置５０の処理（図３参照）と同様である。但し、各ステップにおける冷却装置が局所冷却装置２５となる。即ち、各局所冷却装置２５とホットアイルＨＡの位置関係（距離）、各局所冷却装置２５の運転状態から局所冷却装置２５の寄与率を算定する近似式を用いて各局所冷却装置２５の寄与率を算出する（図９参照）。
【００９２】
＜作用効果＞
このように、第３実施形態に係る冷却システムＳＢによれば、局所冷却装置２５のみを備える構成においても第１実施形態に係る冷却システムＳ、第２実施形態に係る冷却システムＳＡと同様にシステム効率のよい局所冷却装置２５の台数制御が可能となる。
【００９３】
≪第４実施形態≫
＜冷却システムＳＣ＞
第４実施形態に係る冷却システムＳＣについて、図１０から図１２を用いて説明する。図１０は、第４実施形態に係る冷却システムＳＣの構成例を示す平面図である。図１１は、第４実施形態に係る冷却システムＳＣの構成例を示す立面図である。図１２（ａ）は冷却装置２０と各局所冷却装置２５と各ホットアイルＨＡにおける風量の割合の関係を示す表であり、（ｂ）は優先順位の関係を示す表である。
【００９４】
ここで、第４実施形態に係る冷却システムＳＣ（図１０〜１２参照）は、第２実施形態に係る冷却システムＳＡ（図５，６参照）と比較して、制御装置５０Ｃによって冷却装置２０および局所冷却装置２５の両方を制御する点である。このとき各冷却装置２０および各局所冷却装置２５と各ホットアイルＨＡにおける風量の割合の関係、優先順位の関係は図１２（ａ）（ｂ）に示すとおりである。その他の構成は、第１実施形態に係る冷却システムＳ、第２実施形態に係る冷却システムＳＡ、第３実施形態に係る冷却システムＳＢと同様であり重複する説明を省略する。
【００９５】
第４実施形態に係る冷却システムＳＣは、冷却装置２０と、局所冷却装置２５と、コールドアイル温度センサ４０と、ホットアイル温度センサ４１と、制御装置５０Ｃと、を備えている。
【００９６】
前述のように、局所冷却装置２５は、ラック１０に設置された機器の近傍に設置され、機器の発熱を局所的に冷却する。即ち、局所冷却装置２５は、冷却対象のラック１０の排気面と接したホットアイルＨＡから高温空気を取り込んで冷却し、低温空気を冷却対象のラック１０の給気面と接したコールドアイルＣＡに供給する。
【００９７】
なお、図１０および図１１において、局所冷却装置２５は一部のラック列に配置されているものとして図示しているが、これに限られるものではなく、全てのラック列に局所冷却装置２５を配置してもよい。
【００９８】
制御装置５０Ｃは、コールドアイル温度センサ４０とホットアイル温度センサ４１で検出した温度に基づいて、冷却装置２０および局所冷却装置２５の運転／停止を判定し、冷却装置２０および局所冷却装置２５の運転／停止を制御する。図１０に示すように、制御装置５０Ｃは、温度取得部５１と、運転状態取得部５２Ｃと、運転判定部５３Ｃと、記憶部５４と、を備えている。
【００９９】
運転状態取得部５２Ｃは、現在の冷却装置２０および局所冷却装置２５の運転状態（どの冷却装置２０および局所冷却装置２５が運転しているか、停止しているか）を取得する。
【０１００】
運転判定部５３Ｃは、温度取得部５１で取得した温度情報および運転状態取得部５２Ｃで取得した現在の運転状態情報に基づいて、冷却装置２０および局所冷却装置２５の運転／停止を判定する。
【０１０１】
そして、制御装置５０Ｃは、運転判定部５３Ｃの判定結果に基づいて、各冷却装置２０および各局所冷却装置２５の運転／停止を制御することにより、冷却システムＳＣ全体を制御する。
【０１０２】
制御装置５０Ｃの処理は、第１実施形態に係る冷却システムＳの制御装置５０の処理（図３参照）と同様である。但し、各ステップにおける冷却装置が冷却装置２０および局所冷却装置２５の両方となる。即ち、各冷却装置２０および各局所冷却装置２５とホットアイルＨＡの位置関係（距離）、冷却装置２０および各局所冷却装置２５の運転状態から、冷却装置２０および局所冷却装置２５の寄与率を算定する近似式を用いて、各冷却装置２０および各局所冷却装置２５の寄与率を算出する（図１２参照）。
【０１０３】
＜作用効果＞
このように、第４実施形態に係る冷却システムＳＣによれば、冷却装置２０および局所冷却装置２５を備える構成においても第１実施形態に係る冷却システムＳ、第２実施形態に係る冷却システムＳＡ、第３実施形態に係る冷却システムＳＢと同様にシステム効率のよい局所冷却装置２５の台数制御が可能となる。
【０１０４】
≪変形例≫
なお、本実施形態（第１〜第４実施形態）に係る冷却システムＳ〜ＳＣは、上記実施形態の構成に限定されるものではなく、発明の趣旨を逸脱しない範囲内で種々の変更が可能である。
【０１０５】
本実施形態（第１，２，４実施形態）に係る冷却システムＳ，ＳＡ，ＳＣが備える冷却装置２０の台数や配置位置は、図１，５，１０に示す台数や配置位置に限定されるものではない。また、冷却装置２０は室内Ｒに設置されているものとして説明したが、これに限られるものではなく、ホットアイルＨＡから高温空気を取り込む風路と、コールドアイルＣＡに低温空気を供給する風路と、を設け、冷却装置２０を室Ｒの外（機械室）に設置してもよい。
【０１０６】
制御装置５０〜５０Ｃは、冷却装置２０および／または局所冷却装置２５の運転の判定および制御を行うものとして説明したが、これに限定されるものではない。温度取得部５１、運転状態取得部５２（５２Ａ，５２Ｂ，５２Ｃ）、運転判定部５３（５３Ａ，５３Ｂ，５３Ｃ）、記憶部５４および判定結果を表示する表示装置（図示せず）を備える運転判定装置として、表示された判定結果に基づいて、運転者が冷却装置２０および／または局所冷却装置２５の運転／停止を操作する構成であってもよい。
【０１０７】
また、開口部３０は、ホットアイルＨＡとコールドアイルＣＡを仕切る間仕切り１５に形成されるものとして説明したがこれに限定されるものではない。開口部３０は、一方がホットアイルＨＡと連通し、他方がコールドアイルＣＡと連通して空気の通り道が確保できればよく、間仕切り１５を設置した際にできた隙間等を利用してもよい。
【符号の説明】
【０１０８】
Ｓ，ＳＡ，ＳＢ，ＳＣ          冷却システム
１０                          ラック(機器)
１５                          間仕切り
２０                          冷却装置（空調機）
２５                          局所冷却装置
３０                          開口部
４０                          コールドアイル温度センサ
４１                          ホットアイル温度センサ
５０，５０Ａ，５０Ｂ，５０Ｃ  制御装置
５１                          温度取得部
５２，５２Ａ，５２Ｂ，５２Ｃ  運転状態取得部
５３，５３Ａ，５３Ｂ，５３Ｃ  運転判定部
５４                          記憶部
Ｒ                            室
ＣＡ                          コールドアイル
ＨＡ                          ホットアイル
ＴC                           コールドアイルＣＡの温度（コールドアイル空気温度）
ＴH                           ホットアイルＨＡの温度（ホットアイル空気温度）
ＴC,MAX                       最大温度（コールドアイル空気温度の最大値）
Ｔ1                           温度閾値
ΔＴ2                         温度差閾値
【図１】
2018005646.tif 000003
【図２】
2018005646.tif 000004
【図３】
2018005646.tif 000005
【図４】
2018005646.tif 000006
【図５】
2018005646.tif 000007
【図６】
2018005646.tif 000008
【図７】
2018005646.tif 000009
【図８】
2018005646.tif 000010
【図９】
2018005646.tif 000011
【図１０】
2018005646.tif 000012
【図１１】
2018005646.tif 000013
【図１２】
2018005646.tif 000014